(57)【要約】      （修正有）【課題】精美な設計で、使用が簡単であり、携帯しやすい多機能で充電可能なＬＥＤ節電ランプ器具を提供する。【解決手段】口金１とケーシング３との間には伸縮式連結棒２が設けられており、ケーシング３上部にはランプ個数を数個することができるＬＥＤランプ及びランプ取付板５が設けられており、ケーシング３上部の表面にはランプカバー４が設けられており、ケーシング３側面には電源スイッチ８及び表示ランプ９が設けられており、ケーシング３内には回路基板６が設けられており、伸縮式連結棒２内部にはリチウム電池７が設けられており、回路基板６上にはＡＣ−ＤＣ定電圧電源モジュールと、リチウム電池充電管理モジュールと、ＤＣ−ＤＣ定電流電源モジュールと、人工知能モジュールとを備えている。【選択図】図１
0003176536.tif 000002
【実用新案登録請求の範囲】
【請求項１】
口金（１）と、伸縮式連結棒（２）と、ケーシング（３）と、ランプカバー（４）と、ＬＥＤランプ及びランプ取付板（５）と、回路基板（６）と、リチウム電池（７）とからなり、口金（１）とケーシング（３）との間には伸縮式連結棒（２）が設けられており、ケーシング（３）上部にはランプ個数を数個することができるＬＥＤランプ及びランプ取付板（５）が設けられており、ケーシング（３）上部の表面にはランプカバー（４）が設けられており、ケーシング（３）側面には電源スイッチ（８）及び表示ランプ（９）が設けられており、ケーシング（３）内には回路基板（６）が設けられており、伸縮式連結棒（２）内部にはリチウム電池（７）が設けられており、回路基板（６）上にはＡＣ−ＤＣ定電圧電源モジュールと、リチウム電池充電管理モジュールと、ＤＣ−ＤＣ定電流電源モジュールと、人工知能モジュールとを備えている、ことを特徴とする多機能で充電可能なＬＥＤ節電ランプ器具。
【請求項２】
前記ＬＥＤランプの大きさとして、直径が３ｍｍであるピンφ３及び直径が５ｍｍであるピンφ５の二種類があり、ランプ取付板の上面にはＬＥＤランプを４８〜２８８個配置する、ことを特徴とする請求項１に記載の多機能で充電可能なＬＥＤ節電ランプ器具。
【請求項３】
前記口金にはＥ２７、Ｅ２６、Ｅ１４、Ｅ１１、ＧＵ１０の五種類があり、電源がＡＣ８５〜２６５Ｖである交流電源ソケットに螺接する、ことを特徴とする請求項１に記載の多機能で充電可能なＬＥＤ節電ランプ器具。
【考案の詳細な説明】
【技術分野】
【０００１】
本考案は電子照明設備の分野に関し、具体的には多機能で充電可能なＬＥＤ節電ランプ器具に関する。
【背景技術】
【０００２】
現在、市場においては、例えば照明ランプ、懐中電灯、緊急照明灯など既存のランプ器具は種類が多い。しかしその機能、用途は一つに限られ、使用及び携帯は極めて不便であって、一つのランプが他の用途に使えることはできず、使用者にとって面倒が多い。同時に、従来のランプ器具、例えば白熱球ランプ及び普通のＣＦＬ蛍光ランプにおいて、白熱球ランプは効率が悪く、発熱も多く、寿命が短いなどの欠点によりすでに淘汰される瀬戸際にある。普通のＣＦＬ蛍光ランプは白熱球ランプに対して改善されているものの、高電圧で蛍光粉を励起して発光させることから、消費電力が多く、光効率は低く、同じ箇所の蛍光粉が長期間にわたって励起されると劣化して、場合によっては損傷するうえ、水銀を含むことから環境に悪く、蛍光ランプの寿命が大幅に縮まり、点灯時の発熱も多く、表面温度は高くなり、更にはそのスペクトル中に人体に有害な紫外線及び赤外線が含まれており、そしてランプ本体がガラスであるために、壊れやすく、しかも耐久性が低く、外観的にも粗雑感があり、照明効果にも影響を及ぼす。
【考案の概要】
【課題を解決するための手段】
【０００３】
本考案の目的は、精美な設計で、使用が簡単であり、携帯しやすい充電可能なＬＥＤ節電ランプ器具を提供するものであって、集光照明灯、懐中電灯、緊急照明灯などの機能を集約して、安全で、環境に優しく、省電力で、寿命が長いことから、広く普及させるのに有利となる。
【０００４】
本考案は口金と、伸縮式連結棒と、ケーシングと、ランプカバーと、ＬＥＤランプ及びランプ取付板と、回路基板と、リチウム電池とからなり、口金とケーシングとの間には伸縮式連結棒が設けられており、ケーシング上部にはランプ個数を数個することができるＬＥＤランプ及びランプ取付板が設けられており、ケーシング上部の表面にはランプカバーが設けられており、ケーシング側面には電源スイッチ及び表示ランプが設けられており、ケーシング内には回路基板が設けられており、伸縮式連結棒内部にはリチウム電池が設けられており、回路基板上にはＡＣ−ＤＣ定電圧電源モジュールと、リチウム電池充電管理モジュールと、ＤＣ−ＤＣ定電流電源モジュールと、人工知能モジュールとを備えている。
【０００５】
ＬＥＤを照明光源として用いているため、環境に優しく、省電力で、寿命を延ばす目的を達成することができる。伸長可能なＰＣケーシングを採用して、リチウム電池を備えており、停電時にはリチウム電池からＬＥＤランプに電力を供給することで、ＬＥＤランプは引き続き点灯して、緊急照明灯として働く。ケーシング上にはスイッチが取付けられており、ランプの点灯／消灯を随時制御することができ、ＬＥＤ懐中電灯として使用することも可能である。そして内部には低電圧に加えて定電流方式を採用することで、ＬＥＤランプの点灯の安定性を保証している。人工知能モジュールを備えることで、上記各種の機能を自動的に制御する。ケーシングにはＰＣランプカバーが装着されることで、光がまぶしいという問題を解決し、光を均一にし、快適にし、目にやさしく、人体への影響をなくすのに役立つ。
【考案の効果】
【０００６】
本考案の長所は、精美な設計で、使用が簡単であり、携帯しやすく、集光照明灯、懐中電灯、緊急照明灯などの機能を集約して、安全で、環境に優しく、省電力で、寿命が長く、移動式の多機能照明器具に相当し、一器具多機能とすることができ、使用は極めて便利で、商店、ホテル、陳列室、ショッピングセンター、オフィス、倉庫、公共の場所、住居などの場所に幅広く運用でき、しかも白熱球ランプ、ＣＦＬ蛍光ランプと直接交換することができ、広く普及させるのに有利となる。
【図面の簡単な説明】
【０００７】
【図１】本考案の全体構造の概略図。
【図２】本考案の伸縮式連結棒が収縮した状態にある構造概略図。
【図３】本考案のケーシング、ランプカバー、ＬＥＤランプ及びランプ取付板の部分の構造概略図。
【図４】本考案の回路ブロックの概略図。
【考案を実施するための形態】
【０００８】
以下にて図面を合わせて、最も好ましい実施例により本考案をより詳しく説明する。
【０００９】
本考案は口金（１）と、伸縮式連結棒（２）と、ケーシング（３）と、ランプカバー（４）と、ＬＥＤランプ及びランプ取付板（５）と、回路基板（６）と、リチウム電池（７）とからなり、口金（１）とケーシング（３）との間には伸縮式連結棒（２）が設けられており、ケーシング（３）上部にはランプ個数を数個することができるＬＥＤランプ及びランプ取付板（５）が設けられており、ケーシング（３）上部の表面にはランプカバー（４）が設けられており、ケーシング（３）側面には電源スイッチ（８）及び表示ランプ（９）が設けられており、ケーシング（３）内には回路基板（６）が設けられており、伸縮式連結棒（２）内部にはリチウム電池（７）が設けられており、回路基板（６）上にはＡＣ−ＤＣ定電圧電源モジュールと、リチウム電池充電管理モジュールと、ＤＣ−ＤＣ定電流電源モジュールと、人工知能モジュールとを備えている。
【００１０】
商用電源があるときには、ＡＣ８５〜２６５Ｖという具合に入力電圧幅の広いＡＣ−ＤＣ電子定電圧モジュールにより、商用電源を安定した直流電圧に変換した後、ＤＣ−ＤＣ電子定電流モジュールを介してＬＥＤランプに一定の電流を供給し、電気−光変換を順調に完了することで、ＬＥＤランプからは環境にやさしい柔らかな光が出射される。停電したときには、人工知能モジュールが判断した後、リチウム電池の回路に自動的に切り換えるが、リチウム電池（７）は直流電圧が低いので、ＤＣ−ＤＣ電子定電圧モジュールから直接ＬＥＤランプに一定の電流を提供することで、ＬＥＤランプからは環境にやさしい柔らかな光が出射されて、緊急照明灯の機能を実現する。伸縮式連結棒（２）を伸長することで、懐中電灯として使用する目的を実現することができる。
【００１１】
ＬＥＤランプの大きさとして、ピンがφ３（直径が３ｍｍ）及びφ５（直径が５ｍｍ）の二種類があり、ランプ取付板の上面にはＬＥＤランプを４８〜２８８個配置することができる。
【００１２】
口金にはＥ２７、Ｅ２６、Ｅ１４、Ｅ１１、ＧＵ１０の五種類があり、電源がＡＣ８５〜２６５Ｖである交流電源ソケットに螺接することができる。
【符号の説明】
【００１３】
１口金
２伸縮式連結棒
３ケーシング
４ランプカバー
５ランプ取付板
６回路基板
７リチウム電池
８電源スイッチ
９表示ランプ
【図１】
0003176536.tif 000003
【図２】
0003176536.tif 000004
【図３】
0003176536.tif 000005
【図４】
0003176536.tif 000006